(57)【要約】【課題】これまでにない方式で簡易に組み立てられる足場であって、高所での使用にも適した組立式足場を提供すること。【解決手段】相互に間隔をおいて配置される複数の支柱１１と、隣り合う支柱１１間に架け渡される足場部材２と、を備え、前記支柱１１の上端には凹部１２が設けられ、前記足場部材２の両端には、前記凹部１２に嵌合する凸部２１が設けられている。さらに、前記支柱１１の貫通孔１５と前記足場部材２の貫通孔２２とを利用して、前記支柱１１と足場部材２２とを固定する固定部材４をさらに備えてもよい。【選択図】図２
2015229840.tif 000002
【特許請求の範囲】
【請求項１】
相互に間隔をおいて配置される複数の支柱と、隣り合う支柱間に架け渡される足場部材と、を備え、
前記各支柱の上端には凹部が設けられ、
前記足場部材の両端には、前記凹部に嵌合する凸部が設けられていることを特徴とする組立式足場。
【請求項２】
前記支柱と前記足場部材とに設けられた貫通孔と、それらの貫通孔を利用して、前記支柱と足場部材とを固定する固定部材とを、さらに備えていることを特徴とする請求項１に記載の組立式足場。
【請求項３】
前記足場部材が、平面長方形状の足場板によって構成され、前記凸部は、前記足場板の長さ方向の両端部であって、足場板の幅方向に間隔を置いて一対設けられていることを特徴とする請求項１又は請求項２に記載の組立式足場。
【請求項４】
前記足場部材が、四角柱状の梁部材によって構成され、前記凸部は、前記梁部材の両端に設けられていることを特徴とする請求項１又は請求項２に記載の組立式足場。
【請求項５】
前記支柱と、前記足場部材とが強化プラスチックにより形成されていることを特徴とする請求項１〜４の何れかに記載の組立式足場。
【請求項６】
前記支柱は、上下に連結される複数の単位支柱により構成されていることを特徴とする請求項１〜５の何れかに記載の組立式足場。
【請求項７】
前記支柱は、四角柱状であることを特徴とする、請求項１〜６の何れかに記載の組立式足場。
【請求項８】
前記貫通孔を利用して、前記組立式足場の外周に固定される平面方形状の防護部材をさらに備えていることを特徴とする、請求項１〜７の何れかに記載の組立式足場。
【請求項９】
前記支柱の最下部に連結される台座部材をさらに備えていることを特徴とする、請求項１〜８の何れかに記載の組立式足場。
【請求項１０】
前記支柱の凹部に嵌合される凸部を有した補強部材をさらに備えていることを特徴とする、請求項１〜９の何れかに記載の組立式足場。
【発明の詳細な説明】
【技術分野】
【０００１】
本発明は、高所作業において使用可能な組立式足場に関するものである。
【背景技術】
【０００２】
従来、建築現場等の高所作業を伴う際に使用される足場には、主に鉄材が用いられていた。しかしながら、鉄材においては、重量があり運搬や組立が容易でないことや、組立解体時には金属音による騒音が発生すること、通電による感電事故の危険性があること、等の問題があった。
【０００３】
上記問題に鑑み、鉄材に代って繊維強化プラスチック材の足場が提案されている（特許文献１〜２）。特許文献１には、「繊維強化プラスチックで形成したことを特徴とする単管パイプ」の技術が記載されている。また、特許文献２には、「足場板本体が繊維強化プラスチック材料により形成されてなることを特徴とする足場板」の技術が記載されている。
【０００４】
その他にも、特許文献３に「建築現場において、室内の壁クロス貼り、塗装等の各種工事を行うに際して使用されるブロック足場が、５種類の発泡性合成樹脂材料からなるブロック単体及び連結部材単体をそれぞれ複数個用いて、階層を重ねて形成されている。」プラスチック製組立式足場の技術が記載されている。
【先行技術文献】
【特許文献】
【０００５】
【特許文献１】特開昭６３−１４７０６０号公報
【特許文献２】特開昭６２−２９６６８号公報
【特許文献３】特開２０１０−４３４６３号公報
【発明の概要】
【発明が解決しようとする課題】
【０００６】
特許文献１〜２記載の技術は、鉄材に用いられる従来の方式で組み立てられる。従来、鉄材に用いられる組立方式は、鉄パイプ同士を締め具（クランプ）等によって締結することで、足場の枠組みを形成している。しかしながら、この組立方式においては、足場を構成する部材の他に、締め具、螺子、作業具等を持ち運ばなければならず、高所作業を行う場合には好ましくない。また、部材締結の際には、部材を固定箇所まで持ち上げ、締め具を取り付け、螺子を締める、という手間のかかる作業を行う必要であった。
【０００７】
また、前記特許文献３記載の技術は、室内用足場の組立方式であり、高所作業を伴う野外での使用は難しい。仮に、前記組立方式を高所作業に適用した場合には、膨大なブロック数を積み上げねばならず、運搬・組立作業において、現実的でない。
そのため、より簡易な方式で組み立てられ、高所での使用にも適した足場は、現在まで存在しなかった。
【０００８】
本発明は、上記実情に鑑みてなされた発明であり、これまでにない方式で簡易に組み立てられる足場であって、高所での使用にも適した組立式足場を提供することを課題とした。
【課題を解決するための手段】
【０００９】
上記課題を解決するため、本発明に係る組立式足場は、相互に間隔をおいて配置される複数の支柱と、隣り合う支柱間に架け渡される足場部材と、を備え、前記支柱の上端には凹部が設けられ、前記足場部材の両端には、前記凹部に嵌合する凸部が設けられていることを特徴とする。
【００１０】
本発明によれば、足場を構成する部材自体に接続機構を組み込むことで、使用部材の削減と、組立作業の簡便化を可能としている。支柱に凹部を設け、足場部材に凸部を設け、凹凸嵌合により部材同士を結合することにより、手間のかかる作業が必要な締め具を用いる必要がなく、部材同士を嵌め込むだけの簡便な組立が可能となっている。
【００１１】
本発明の好ましい形態では、前記支柱と前記足場部材とに設けられた貫通孔と、それらの貫通孔を利用して、前記支柱と足場部材とを固定する固定部材と、をさらに備えていることを特徴とする。
このように、固定部材を用いて固定することにより、地震や暴風等の予期しない衝撃で、前記支柱と前記足場部材との嵌合が解かれてしまうことを防止することができる。また、固定することにより部材同士の結合が強固に保持され、より安定した足場を構築することが可能である。
【００１２】
本発明の好ましい形態では、前記足場部材が、平面長方形状の足場板によって構成され、前記凸部は、前記足場板の長さ方向の両端部であって、足場板の幅方向に間隔を置いてそれぞれ一対設けられていることを特徴とする。
このように、足場部材に平面長方形状の足場板を用いることにより、作業場を拡張することができ、作業員の容易な移動と安全な作業が可能となる。
【００１３】
本発明の好ましい形態では、前記足場部材が、四角柱状の梁部材によって構成され、前記凸部は、前記梁部材の両端に設けられていることを特徴とする。
このように、足場部材に柱状の梁部材を用いることで、幅のある前記足場板が導入できないような、手狭な空間であっても、足場を構築することができる。
【００１４】
本発明の好ましい形態では、前記支柱と、前記足場部材とが強化プラスチックにより形成されていることを特徴とする。
このように、足場を構成する部材に強化プラスチックを用いることで、既存の鉄製足場が有している組立作業性の問題に加えて重量の問題や製作性の問題等も解決することができる。
【００１５】
本発明の好ましい形態では、前記支柱は、上下に連結される複数の単位支柱により構成されていることを特徴とする。
このように、前記支柱は連結可能な単位支柱によって構成されているため、前記単位支柱を連結させる事で、支柱長さを任意に伸長させることが可能である。
【００１６】
本発明の好ましい形態では、前記支柱は、四角柱状であることを特徴とする。
このように、支柱に四角柱形状を採用することで、運搬時や保管時における支柱の転がりを防止することができる。また、安定的に積み上げることが可能となり、安全、かつ、省スペースに運搬や保管を行うことができる。
【００１７】
本発明の好ましい形態では、前記貫通孔を利用して、前記組立式足場の外周に固定される平面方形状の防護部材をさらに備えていることを特徴とする。
このように、支柱と足場部材とが形作る方形に防護部材を設置することで、足場の安定性を強化することができる。また、足場の側面が防護部材によって覆われることで、作業員の転落や部材の落下等の事故を防止することができる。
【００１８】
本発明の好ましい形態では、前記支柱の最下部に連結される台座部材をさらに備えていることを特徴とする。
このように、支柱の最下部に台座部材を設けることで、足場の底面積を拡大し安定性を向上させることが可能である。また、前記台座部材に任意の高さを設けることで、作業環境の状況に応じて、足場全体の高さを微調整することが可能である。
【００１９】
本発明の好ましい形態では、前記単位支柱と足場部材との交点に設けられる補強部材をさらに備えていることを特徴とする。
このように、支柱と足場部材の接合部に、補強部材を設けることで、より高耐久な足場を構築することが可能となっている。例えば、支柱と足場部材との接合部を直角に保つ、Ｌ字型やブラケット状の補強部材等が好適に挙げられる。
【発明の効果】
【００２０】
本発明によれば、これまでにない方式で、簡易に組み立てられる足場であって、高所での使用にも適した組立式足場を提供することができる。
【図面の簡単な説明】
【００２１】
【図１】本発明の実施形態１に係る組立式足場の正面図である。
【図２】本発明の実施形態１に係る組立式足場の足場板を設置する場合の部分斜視図である。
【図３】本発明の実施形態１に係る組立式足場の単位支柱の斜視図である。
【図４】本発明の実施形態１に係る組立式足場の足場板を示すもので、（ａ）は平面図、（ｂ）は側面図、（ｃ）は端面図である。
【図５】本発明の実施形態１に係る組立式足場の嵌合部の部分斜視図である。
【図６】本発明の実施形態２に係る組立式足場の梁を設置する場合の部分斜視図である。
【図７】本発明の実施形態３に係る組立式足場の防護部材を設置する場合の斜視図である。
【図８】本発明の実施形態３に係る組立式足場の防護部材を設置する場合の部分正面図である。
【図９】本発明の実施形態４に係る組立式足場の台座部材の斜視図である。
【図１０】本発明の実施形態５に係る組立式足場の補強部材を設置する場合の部分斜視図である。
【発明を実施するための形態】
【００２２】
（実施形態１）
以下、本発明の実施形態１について、図１〜図５を参照して詳細に説明する。
【００２３】
この実施形態に係る組立式足場は、図１に示すように、相互に間隔をおいて配置される複数の支柱１と、隣り合う支柱間に架け渡される足場板２とを備えている。前記支柱１は単位支柱１１によって構成され、前記単位支柱１１は上下に連結可能であり、図示例では鉛直方向に３本連結されている。加えて、前記足場板２は、図示した足場板２ａのように前記単位支柱１１の長さ方向の中間部分にも設けることができる。また、図２に示すように、前記支柱１は奥側にもう一列配置されており、全体としては二列の支柱１が間隔を置いて配置されている。
【００２４】
また、この実施形態にかかる組立式足場は、図２に示すように、前記単位支柱１１に凹部１２が設けられ、前記足場板２に前記凹部１２に嵌合される凸部２１が設けられている。これにより、前記足場板２が前記支柱１の上方から嵌め込まれることで、足場を形成している。さらに図示例では、前記支柱１と前記足場板２との嵌合部に、両者を結束により固定する固定部材４が設けられている。
【００２５】
前記単位支柱１１は、図３に示すように、四角柱状に形成され、凹部１２と、高さ方向の連結用凸部１３と、高さ方向の連結用凹部１４と、貫通孔１５と、を備えている。前記凹部１２は、深めの溝状に形成され、平面視においては全体として口形に形成されている。この凹部１２は、単位支柱１１の少なくとも上端に設けられる。図示例では、前記凹部１２は上端のみならず、単位支柱１１の長さ方向の中間部分にも凹部１２ａが設けられている。このように、前記凹部１２は、必要に応じて単位支柱１１の複数箇所に設けても良い。
【００２６】
前記連結用凸部１３は、前記単位支柱１１の最上端の中心軸上に、上方に向けて突出する円柱状に形成されている。一方、前記連結用凹部１４は、単位支柱１１の最下端の中心軸上に、下方向を開口部として、他の単位支柱１１の連結用凸部１３が嵌り込む円柱形状の空間に形成されている。図示例では、前記連結用凸部１３および連結用凹部１４は、円柱状であるが、円柱に限らず四角柱や六角柱などの、互いに嵌り込む凸構造と凹構造であれば良い。
【００２７】
前記貫通孔１５は、前記単位支柱１１を径方向に貫通する孔であって、前記凹部１２周辺部と、前記単位支柱１１の側面部に前記貫通孔１５の開口部が形成されている。この貫通孔は、他の部材との結合に用いられ、他の部材と対応した間隔で配置される。貫通孔１５の大きさは任意であるが、少なくとも後述の結束バンド等の固定部材を容易に通すことができる孔径に設定される。
【００２８】
前記足場板２は、図４に示すように、平面長方形状に形成され、前記単位支柱１１の凹部１２に嵌合される凸部２１と、単位支柱１１の貫通孔１５と同様の目的の貫通孔２２と、を備えている。前記凸部２１は、前記足場板２の長さ方向の両端部であって、前記足場板２の幅方向に間隔を置いて一対設けられている。この一対の凸部２１、２１は、それぞれ下方に向いて突出し、足場板２の幅方向と平行な面を有する矩形板状に形成されている。また、前記貫通孔２２は、前記凸部２１周辺と足場板２の外縁部に、前記支柱１の貫通孔１５に対応した間隔で複数箇所に設けられている。
【００２９】
前記固定部材４は、前記単位支柱１１の貫通孔１５と前記足場板２の貫通孔２２とを利用して、単位支柱１１と足場板２とを固定可能に構成されている。この固定部材４としては、自身の基端側の抜け止め孔に先端部を通してその先端部から引き締めて固定することが可能な結束バンド等が好適に用いられる。
この結束バンドは、固定作業に特別な作業具を用いる必要がなく簡易に固定することが可能であり、作業性が極めて良好であるが、他の固定手段を用いることもできる。特に図示していないが、より強度が必要な場合には、例えばブラケット状やＬ字型の固定部材をボルトなどで固定することで、結束バンドに代えても良い。
【００３０】
前記単位支柱１１の凹部１２と前記足場板２の凸部２１との嵌合部、および、単位支柱１１の連結用凸部１３と他の単位支柱１１の連結用凹部１４との嵌合部を図５に示し、さらに詳しく説明する。前記単位支柱１１の凹部１２と前記足場板２の凸部２１との嵌合部は、前記凹部１２の四角形の溝構造の一辺に、矩形板状の凸部２１が嵌合されている。そのため、足場板２は四方へ設置することができる。
【００３１】
前記単位支柱１１の連結用凸部１３と他の単位支柱１１の連結用凹部１４との嵌合部は、前記単位支柱１１の中心軸上で凹凸嵌合されている。ここで、前記連結用凸部１３の長さは、前記連結用凹部１４の深さよりも、足場部材２の厚み程度長く形成されている。
【００３２】
前記単位支柱１１および前記足場板２の部材本体には、強化プラスチックが好適に用いられる。しかしながら、より強度を確保したい場合には、部材本体や、強度が必要な接合部（前記単位支柱１１の中心軸や凹部１２、連結用凸部１３、連結用凹部１４、または、足場板２の凸部２１、やその一部）、に金属材料等の高強度な材料を用いても良い。
【００３３】
本実施形態によれば、足場を構成する部材自体に接続機構を組み込むことで、使用部材の削減と、組立作業の簡便化を可能にしている。単位支柱１１に凹部１２を設け、足場部材２に凸部２１を設け、凹凸嵌合により部材同士を結合することにより、手間のかかる作業が必要な締め具を用いる必要がなく、部材同士を嵌め込むだけの簡便な組立作業が可能となっている。
【００３４】
また、本発明によれば、前記単位支柱１１に凹部１２を、前記足場部材２に凸部２１を設けて凹凸嵌合させることで、より安定な足場を形成することが可能になっている。前記凹凸嵌合により、部材同士の接触面を広く形成できるため、より強固な結合が可能となっている。また、一般的な方式と違い、部材同士の結合に締め具を介さないため、締め具の不具合による、破損、設置箇所のずれ、が生じない安定な足場を構築することが可能である。
【００３５】
また、前記単位支柱１１と前記足場部材２とに設けられた貫通孔を利用して、固定部材４により前記単位支柱１１と前記足場部材２とを強固に結合することで、足場をより安定的に構築することができる。このことにより、地震や暴風等の予期しない衝撃で、前記単位支柱１１と前記足場部材２との嵌合が解かれるしまうことを防止することができる。
【００３６】
また、主要部材である単位支柱１１と足場部材２とを強化プラスチックにより形成する場合には、鉄材の足場が有していた問題を解消することができる。強化プラスチックは、鉄より軽量で、腐食しにくく、絶縁体である。そのため、足場を強化プラスチックにより構成することで、部材の運搬・組立が容易になり、錆等による劣化を防ぎ、感電の恐れのある電気工事現場等にも好適に使用可能な足場とすることができる。
【００３７】
また、単位支柱１１に四角柱形状を採用することで、支柱１の運搬や保管を効率よく行うことができる。既存の足場材の多くに採用されていた円柱形状は転がり易く、運搬時の固定が容易ではなかった。そこで、四角柱形状を採用することで、安定的に積み上げることが可能となり、安全、かつ、省スペースに運搬や保管を効率よく行うことができる。また、図示はしていないが、前記四角柱形状は、角を丸く形成することで、安全に運搬・組立を行うことができる。
【００３８】
また、固定部材１６に結束バンドを用いることで、手間のかかる固定作業を要しない、容易な足場の組立・解体を可能としている。従来の締め具を用いる固定作業の場合には、締め具、螺子、作業具と多くを持ち歩かなければならず、また、部材の設置時には螺子締め等の手間のかかる作業が伴う。そのため、手違いによる螺子や作業具の落下時には、大きな危険が生じる。その点、結束バンドを用いた場合には、結束バンドのみを持ち歩けばよく、固定作業も簡単であり、落下時のリスクも少なくすることができる。また、解体時には結束バンドを切断するだけで良く、解体作業も容易に行うことができる。
【００３９】
（実施形態２）
図６は、本発明に係る組立式足場の実施形態２を示す部分斜視図である。なお、同実施形態において、先の実施形態と基本的に同一の構成要素においては、同一符号を付してその説明を簡略化する。
【００４０】
この実施形態に係る組立式足場においては、図６に示すように、相互に間隔をおいて配置される単位支柱１１と、隣り合う単位支柱１１間に架け渡される梁３とを備えており、前記単位支柱１１と梁３との接合部には固定部材４が設けられている。また、前記単位支柱１１と固定部材４ついては、先の実施形態と同一の構成を備えているため、説明を簡略化する。
【００４１】
前記梁３は、図６に示すように、四角柱状に形成され、前記単位支柱１１の凹部１２に嵌合される凸部３１と、貫通孔３２と、を備えている。前記凸部３１は、前記梁３の両端に、凸が下方向に向けて設けられている。また、前記貫通孔３２は、前記凸部３１周辺と梁３の側面部に、前記支柱１の貫通孔１５に対応した間隔で複数箇所に設けられている。
【００４２】
なお、この実施形態２に係る組立式足場も、基本的には実施形態１の組立式足場とほぼ同等の機能を発揮するが、特に以下の点で、実施形態１の組立式足場よりも優れた作用効果を奏する。
【００４３】
この実施形態２では、足場部材に梁３を用いることにより、手狭な空間であっても足場を設置することが可能である。実施形態１においては、足場の幅は足場板２の幅によって決定されるが、足場板２の幅よりも狭い場所、例えば細い路地や家同士の間隙等においては設置することができなかった。一方で、この実施形態２は、足場の幅を、梁３や単位支柱１１の幅と同等にすることができる。そのため、実施形態１における足場板２が設置できない、上記のような手狭な空間であっても、足場を設置することが可能である。また、実施形態１における足場板２と、本実施形態における梁３と、を組み合わせることでより、より多くの環境において、足場を組み立て、作業することが可能となっている。
【００４４】
（実施形態３）
図７〜８は、実施形態３に係る組立式足場の部分正面図であり、先の実施形態の構成に加えて、防護部材５をさらに備えている。なお、同実施形態において、先の実施形態と基本的に同一の構成要素については、同一の符号を付してその説明を簡略化する。
【００４５】
この実施形態に係る組立式足場は、図７に示すように、相互に間隔をおいて配置される複数の支柱１と、隣り合う支柱１間に架け渡される足場部材（足場板２および梁３）とを備え、さらに、前記支柱１と足場部材が形成する方形に、防護部材５を設置している。
【００４６】
前記防護部材５は、概略平面方形状に形成され、外縁部の複数箇所に貫通孔５１を備えている。前記貫通孔５１は、前記支柱１および足場部材２の側面に設けられた貫通孔に対応する箇所に設けられている。前記防護部材５は、図７に示すように、各部材に設けられた前記貫通孔を利用して、固定部材４により固定される。
【００４７】
前記固定部材４には、実施形態１および実施形態２と同様に、結束バンドのような、固定に作業具を用いる必要のない、簡易に固定可能な手段が好適に用いられる。しかしながら、より強固な結合が必要な場合には、ボルト等で固定することも可能である。
【００４８】
この実施形態３では、前記支柱１と足場部材２とが形作る方形に防護部材５を設置することで、足場の安定性を強化することができる。支柱１と足場材２によって形づくられる方形は、接合部の強度に余裕がないと、地震や暴風等の水平力を受けたときに平行四辺形状にひしゃげるように変形する。そのため、防護部材５を前記方形に固定することで、水平力によるひしゃげを抑制し、足場の安定性を向上することができる。
【００４９】
また、足場の側面が防護部材５に覆われることによって、作業員や部材等の転落事故を抑制することができる。さらに好ましくは、防護部材５に使用に適した構造や材質を選択的に設けてもよい。例えば、作業員の持ち手となるような構造を設け、手すりのように使用しても良いし、フックが引っ掛けられるような孔を設け、作業具を一時固定できるようにしても良い。
【００５０】
（実施形態４）
図９は、実施形態４に係る組立式足場の部分斜視図であり、先の実施形態の構成に加えて、台座部材６をさらに備えている。なお、同実施形態において、先の実施形態と基本的に同一の構成要素については、同一の符号を付してその説明を簡略化する。
【００５１】
前記台座部材６は、単位支柱１１の連結用凹部１３に嵌合される連結用凸部６１と、高さ調節部６２と、底部６３と、を備えている。前記底部６３は、前記単位支柱１１の底面積よりも広くなるように形成されている。また、図示はしていないが、台座部材６に直接足場部材を接続する場合を想定して、凹部や貫通孔を設けてもよい。
【００５２】
このように、足場の最下部に台座部材６を設け、足場の底面積を拡大することで、足場の安定性を向上することが可能である。また、前記台座部材６に高さ調節部６２を設けることによって、作業環境の状況に応じて、足場全体の高さを調整することが可能である。
【００５３】
（実施形態５）
図１０は、実施形態５に係る組立式足場の部分斜視図であり、先の実施形態の構成に加えて、補強部材７をさらに備えている。なお、同実施形態において、先の実施形態と基本的に同一の構成要素については、同一の符号を付してその説明を簡略化する。
【００５４】
前記補強部材７は、ブラケット状に形成され、水平材７１と、垂直材７２と、斜材７３とで、正面から見て直角三角形状に構成されている。
前記水平材７１は、単位支柱１１の凹部１２に嵌合される凸部７４と、足場材２の凸部２１に嵌合される凹部７５と、貫通孔７６と、が設けられている。そのため、補強部材７は前記単位支柱１１と前記足場部材２の間に導入される。
【００５５】
このように、ブラケット状の補強部材を接合部に導入することで、接合部の強度を向上させることができる。
【符号の説明】
【００５６】
Ｇ        地面
１        支柱
１１      単位支柱
１２      凹部
１２ａ    凹部
１３      連結用凸部
１４      連結用凹部
１５      貫通孔
２        足場板
２ａ      足場板
２１      凸部
２２      貫通孔
３        梁
３１      凸部
３２      貫通孔
４        固定部材
５        防護部材
５１      貫通孔
６        台座
６１      連結用凸部
６２      高さ調整部
６３      底部
７        補強部材
７１      水平材
７２      垂直材
７３      斜材
７４      凸部
７５      凹部
７６      貫通孔
【図１】
2015229840.tif 000003
【図２】
2015229840.tif 000004
【図３】
2015229840.tif 000005
【図４】
2015229840.tif 000006
【図５】
2015229840.tif 000007
【図６】
2015229840.tif 000008
【図７】
2015229840.tif 000009
【図８】
2015229840.tif 000010
【図９】
2015229840.tif 000011
【図１０】
2015229840.tif 000012
【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
相互に間隔をおいて配置される複数の支柱と、隣り合う支柱間に架け渡される足場部材と、を備え、
前記支柱は、上下に連結される複数の単位支柱により構成されており、
前記単位支柱の上端には、連結用凸部と凹部が、前記単位支柱の下部には、連結用凹部がそれぞれ設けられ、
前記足場部材の両端には、前記凹部に嵌合する凸部が設けられていることを特徴とする組立式足場。
【請求項２】
前記支柱と前記足場部材とに設けられた貫通孔と、それらの貫通孔を利用して、前記支柱と足場部材とを固定する固定部材とを、さらに備えていることを特徴とする請求項１に記載の組立式足場。
【請求項３】
前記足場部材が、平面長方形状の足場板によって構成され、前記凸部は、前記足場板の長さ方向の両端部であって、足場板の幅方向に間隔を置いて一対設けられていることを特徴とする請求項１又は請求項２に記載の組立式足場。
【請求項４】
前記足場部材が、四角柱状の梁部材によって構成され、前記凸部は、前記梁部材の両端に設けられていることを特徴とする請求項１又は請求項２に記載の組立式足場。
【請求項５】
前記支柱と、前記足場部材とが強化プラスチックにより形成されていることを特徴とする請求項１〜４の何れかに記載の組立式足場。
【請求項６】
前記支柱は、四角柱状であることを特徴とする、請求項１〜５の何れかに記載の組立式足場。
【請求項７】
前記支柱と前記足場部材とには貫通孔が設けられ、前記貫通孔を利用して、前記組立式足場の外周に固定される平面方形状の防護部材をさらに備えていることを特徴とする、請求項１〜６の何れかに記載の組立式足場。
【請求項８】
前記支柱の最下部に連結される台座部材をさらに備えていることを特徴とする、請求項１〜７の何れかに記載の組立式足場。
【請求項９】
前記支柱の凹部に嵌合される凸部を有した補強部材をさらに備えていることを特徴とする、請求項１〜８の何れかに記載の組立式足場。
【手続補正２】
【補正対象書類名】明細書
【補正対象項目名】０００９
【補正方法】変更
【補正の内容】
【０００９】
上記課題を解決するため、本発明に係る組立式足場は、相互に間隔をおいて配置される複数の支柱と、隣り合う支柱間に架け渡される足場部材と、を備え、
前記支柱は、上下に連結される複数の単位支柱により構成されており、
前記単位支柱の上端には、連結用凸部と凹部が、前記単位支柱の下部には、連結用凹部がそれぞれ設けられ、
前記足場部材の両端には、前記凹部に嵌合する凸部が設けられていることを特徴とする。
【手続補正書】
【提出日】平成27年1月26日(2015.1.26)
【手続補正１】
【補正対象書類名】特許請求の範囲
【補正対象項目名】請求項１
【補正方法】変更
【補正の内容】
【請求項１】
相互に間隔をおいて配置される複数の支柱と、隣り合う支柱間に架け渡される足場部材と、を備え、
前記支柱は、上下に連結される複数の単位支柱により構成されており、
前記単位支柱の上端面には、連結用凸部と凹部が、前記単位支柱の下部には、前記連結用凸部と嵌合する連結用凹部がそれぞれ設けられ、
前記足場部材の両端には、前記凹部に嵌合する凸部が設けられていることを特徴とする組立式足場。
【手続補正２】
【補正対象書類名】明細書
【補正対象項目名】０００９
【補正方法】変更
【補正の内容】
【０００９】
上記課題を解決するため、本発明に係る組立式足場は、相互に間隔をおいて配置される複数の支柱と、隣り合う支柱間に架け渡される足場部材と、を備え、
前記支柱は、上下に連結される複数の単位支柱により構成されており、
前記単位支柱の上端面には、連結用凸部と凹部が、前記単位支柱の下部には、前記連結用凸部と嵌合する連結用凹部がそれぞれ設けられ、
前記足場部材の両端には、前記凹部に嵌合する凸部が設けられていることを特徴とする。